(57)【要約】【課題】  画像データのプリント注文を行う際に、プリント店を簡易に選択できるようにする。【解決手段】  カメラ付き携帯電話１の現在位置を表すＧＰＳ情報を管理サーバ３に送信する。管理サーバ３はプリント店を登録したプリント店データベースを参照して、カメラ付き携帯電話１の現在位置に最も近い場所にあるプリント店の情報をカメラ付き携帯電話１に送信する。カメラ付き携帯電話１は、プリント注文を行う画像データ、注文情報およびＧＰＳ情報を、選択したプリント店の注文受付サーバ５に送信する。プリントが完了すると注文受付サーバ５は、カメラ付き携帯電話１の現在位置からプリント店までの経路を案内する案内情報をカメラ付き携帯電話１に送信する。【選択図】          図１
2006072479.tif 000002
【特許請求の範囲】
【請求項１】
画像データのプリント注文を行う端末装置において、
各種表示を行う表示手段と、
各種入力を行う入力手段と、
前記画像データを含む各種情報を記憶する記憶手段と、
前記端末装置の現在位置を検出する位置検出手段と、
ネットワークを介した通信を行う通信手段と、
前記端末装置の現在位置に対応するプリント店の選択を受け付け、該選択されたプリント店に、前記プリント注文を行う画像データ、該画像データの注文情報および前記現在位置を表す現在位置情報を送信するよう、前記表示手段、前記入力手段、前記位置検出手段および前記通信手段を制御する制御手段とを備えたことを特徴とする端末装置。
【請求項２】
前記制御手段は、前記現在位置情報を複数のプリント店の情報を管理する管理サーバに送信し、該管理サーバから送信されたプリント店の情報に基づいて、前記現在位置に対応するプリント店を選択可能に前記表示手段に表示する手段であることを特徴とする請求項１記載の端末装置。
【請求項３】
前記記憶手段は、複数のプリント店の情報を記憶してなる手段であり、
前記制御手段は、前記記憶手段に記憶されたプリント店の情報から前記現在位置に対応するプリント店を選択し、該選択されたプリント店を選択可能に前記表示手段に表示する手段であることを特徴とする請求項１記載の端末装置。
【請求項４】
前記制御手段は、あらかじめ登録された登録プリント店を前記現在位置に対応するプリント店とともに選択可能に前記表示手段に表示する手段であることを特徴とする請求項２または３記載の端末装置。
【請求項５】
カメラ付きの携帯端末装置であることを特徴とする請求項１から４のいずれか１項記載の端末装置。
【請求項６】
端末装置から送信された画像データのプリント注文を処理するプリント注文処理装置において、
ネットワークを介して通信を行う通信手段と、
前記注文処理装置が設置されたプリント店の地図を有する案内情報を含む各種情報を記憶する記憶手段と、
前記画像データのプリント出力を行うプリント手段と、
前記ネットワークを介して送信された前記画像データおよび該画像データのプリント注文内容を表す注文情報を受信し、該注文情報に基づいて該画像データのプリント出力を行い、該プリント出力が完了すると、前記案内情報を前記端末装置に送信するよう前記通信手段を制御する制御手段とを備えたことを特徴とするプリント注文処理装置。
【請求項７】
前記制御手段は、前記端末装置から送信された該端末装置の現在位置を表す現在位置情報を受信し、該現在位置情報に基づいて、前記端末装置の現在位置から前記プリント店への経路を前記案内情報として送信するよう、前記通信手段を制御する手段であることを特徴とする請求項６記載のプリント注文処理装置。
【請求項８】
請求項１から５のいずれか１項記載の端末装置と、請求項６または７記載のプリント注文処理装置とを備えたことを特徴とするプリントシステム。
【請求項９】
画像データのプリント注文を端末装置から行うプリント注文方法において、
前記端末装置の現在位置を検出し、
前記端末装置の現在位置に対応するプリント店の選択を受け付け、
該選択されたプリント店に、前記プリント注文を行う画像データ、該画像データの注文情報および前記現在位置を表す現在位置情報を送信することを特徴とするプリント注文方法。
【請求項１０】
端末装置から送信された画像データのプリント注文を処理するプリント注文処理方法において、
ネットワークを介して送信された前記画像データおよび該画像データのプリント注文内容を表す注文情報を受信し、
該注文情報に基づいて該画像データのプリント出力を行い、
該プリント出力が完了すると、前記プリント注文を処理するプリント店の地図を有する案内情報を前記端末装置に送信することを特徴とするプリント注文処理方法。
【請求項１１】
画像データのプリント注文を端末装置から行うプリント注文方法をコンピュータに実行させるためのプログラムにおいて、
前記端末装置の現在位置を検出する手順と、
前記端末装置の現在位置に対応するプリント店の選択を受け付ける手順と、
該選択されたプリント店に、前記プリント注文を行う画像データ、該画像データの注文情報および前記現在位置を表す現在位置情報を送信する手順とを有することを特徴とするプログラム。
【請求項１２】
端末装置から送信された画像データのプリント注文を処理するプリント注文処理方法をコンピュータに実行させるためのプログラムにおいて、
ネットワークを介して送信された前記画像データおよび該画像データのプリント注文内容を表す注文情報を受信する手順と、
該注文情報に基づいて該画像データのプリント出力を行う手順と、
該プリント出力が完了すると、前記プリント注文を処理するプリント店の地図を有する案内情報を前記端末装置に送信する手順とを有することを特徴とするプログラム。
【発明の詳細な説明】
【技術分野】
【０００１】
本発明は、画像データのプリント注文を行うための端末装置およびプリント注文方法、画像データのプリント注文を処理するためのプリント注文処理装置および方法並びにプリント注文方法およびプリント注文処理方法をコンピュータに実行させるためのプログラムに関するものである。
【背景技術】
【０００２】
撮影により画像データを取得するデジタルカメラを備えたカメラ付き携帯電話の普及により、撮影により取得した画像データをカメラ付き携帯電話の液晶画面に表示したり、撮影により取得した画像データを電子メールに添付して友人に送信することが日常的に行われている。
【０００３】
このようなカメラ付き携帯電話のデジタルカメラは、パソコンのモニタよりもはるかに小さい携帯電話の液晶モニタに表示することを前提としており、また電子メールに添付して送受信する際のデータ通信速度が低いこともあったため、画素数が少ないものとなっていた。
【０００４】
しかしながら、カメラ付き携帯電話のカメラの高機能化さらにはデータ通信速度の高速化により、メガピクセル級の画像データを撮影したり、電子メールに添付して送受信することが可能となってきている。また、このように画像データの画素数が多くなるとプリントにも十分耐えうる高画質の画像を再生可能であるため、撮影により取得した画像データや電子メールにより受信した画像データを、携帯電話に設けられたメモリカードに保存し、メモリカードを写真店に持ち込んでプリント注文を行ったり、パソコンを利用してホームプリンタからプリント出力することも行われてきている。さらに、携帯電話から画像データをプリント店のサーバにアップロードし、アップロードした画像データについてのプリント注文を行うことも可能となっている。とくに、携帯電話から画像データを含む各種情報をサーバに送信し、サーバにおいて各種情報をプリント出力するシステムも提案されている（特許文献１参照）。
【特許文献１】特開２００１−２２２３８７号公報
【発明の開示】
【発明が解決しようとする課題】
【０００５】
上述したように携帯電話から画像データのプリント注文を行う場合には、注文を行うプリント店を携帯電話において選択する必要がある。しかしながら、携帯電話の小型の液晶モニタに多数のプリント店名の表示を行いつつ、テンキーを用いて所望とするプリント店を選択する作業は非常に煩雑である。
【０００６】
とくに携帯電話を用いての撮影は、固定された場所ではなく携帯電話のユーザの外出先の任意の場所において行われる。さらに画像データを外出先において直ちにプリント出力したいという要望から、ユーザが撮影を行った場所の近隣に所在するプリント店に注文を行うことが多い。ここで、プリント注文が完了すると、ユーザはできあがったプリントをプリント店に取りに行く必要があるが、撮影を行った場所がユーザの未知の場所であると、プリント店の場所も未知であるため、プリント店を探す必要がある。
【０００７】
また、携帯電話のみならずパソコンのような携帯しない端末装置からプリント注文を行う場合にも、プリント店を選択する作業やプリント店へプリントを取りに行くことは、ユーザにとって非常に繁雑なものである。
【０００８】
本発明は、上記事情に鑑みなされたものであり、画像データのプリント注文を行う際に、プリント店を簡易に選択できるようにすることを第１の目的とする。
【０００９】
また、本発明は、ユーザに負担をかけることなくプリントを取りに行くことができるようにすることを第２の目的とする。
【課題を解決するための手段】
【００１０】
本発明による端末装置は、画像データのプリント注文を行う端末装置において、
各種表示を行う表示手段と、
各種入力を行う入力手段と、
前記画像データを含む各種情報を記憶する記憶手段と、
前記端末装置の現在位置を検出する位置検出手段と、
ネットワークを介した通信を行う通信手段と、
前記端末装置の現在位置に対応するプリント店の選択を受け付け、該選択されたプリント店に、前記プリント注文を行う画像データ、該画像データの注文情報および前記現在位置を表す現在位置情報を送信するよう、前記表示手段、前記入力手段、前記位置検出手段および前記通信手段を制御する制御手段とを備えたことを特徴とするものである。
【００１１】
なお、本発明による端末装置においては、前記制御手段を、前記現在位置情報を複数のプリント店の情報を管理する管理サーバに送信し、該管理サーバから送信されたプリント店の情報に基づいて、前記現在位置に対応するプリント店を選択可能に前記表示手段に表示する手段としてもよい。
【００１２】
また、本発明による端末装置においては、前記記憶手段を、複数のプリント店の情報を記憶してなるものとし、前記制御手段を、前記記憶手段に記憶されたプリント店の情報から前記現在位置に対応するプリント店を選択し、該選択されたプリント店を選択可能に前記表示手段に表示する手段としてもよい。
【００１３】
また、本発明による端末装置においては、前記制御手段を、あらかじめ登録された登録プリント店を前記現在位置に対応するプリント店とともに選択可能に前記表示手段に表示する手段としてもよい。
【００１４】
また、本発明による端末装置は、カメラ付きの携帯電話、ＰＤＦ等の携帯端末装置であってもよい。
【００１５】
本発明によるプリント注文処理装置は、端末装置から送信された画像データのプリント注文を処理するプリント注文処理装置において、
ネットワークを介して通信を行う通信手段と、
前記注文処理装置が設置されたプリント店の地図を有する案内情報を含む各種情報を記憶する記憶手段と、
前記画像データのプリント出力を行うプリント手段と、
前記ネットワークを介して送信された前記画像データおよび該画像データのプリント注文内容を表す注文情報を受信し、該注文情報に基づいて該画像データのプリント出力を行い、該プリント出力が完了すると、前記案内情報を前記端末装置に送信するよう前記通信手段を制御する制御手段とを備えたことを特徴とするものである。
【００１６】
なお、本発明によるプリント注文処理装置においては、前記制御手段を、前記端末装置から送信された該端末装置の現在位置を表す現在位置情報を受信し、該現在位置情報に基づいて、前記端末装置の現在位置から前記プリント店への経路を前記案内情報として送信するよう、前記通信手段を制御する手段としてもよい。
【００１７】
本発明によるプリントシステムは、本発明の端末装置と、本発明のプリント注文処理装置とを備えたことを特徴とするものである。
【００１８】
本発明によるプリント注文方法は、画像データのプリント注文を端末装置から行うプリント注文方法において、
前記端末装置の現在位置を検出し、
前記端末装置の現在位置に対応するプリント店の選択を受け付け、
該選択されたプリント店に、前記プリント注文を行う画像データ、該画像データの注文情報および前記現在位置を表す現在位置情報を送信することを特徴とするものである。
【００１９】
本発明によるプリント注文処理方法は、端末装置から送信された画像データのプリント注文を処理するプリント注文処理方法において、
ネットワークを介して送信された前記画像データおよび該画像データのプリント注文内容を表す注文情報を受信し、
該注文情報に基づいて該画像データのプリント出力を行い、
該プリント出力が完了すると、前記プリント注文を処理するプリント店の地図を有する案内情報を前記端末装置に送信することを特徴とするものである。
【００２０】
なお、本発明によるプリント注文方法およびプリント注文処理方法をコンピュータに実行させるためのプログラムとして提供してもよい。
【発明の効果】
【００２１】
本発明の端末装置およびプリント注文方法によれば、端末装置の現在位置に対応するプリント店の選択が受け付けられ、選択されたプリント店に画像データ、注文情報および現在位置を表す現在位置情報が送信される。このため、端末装置を操作するユーザは、端末装置の現在位置に応じたプリント店を簡易に選択してプリント注文を行うことができる。
【００２２】
また、端末装置の現在位置情報を複数のプリント店についての情報を管理する管理サーバに送信し、管理サーバから送信されたプリント店の情報に基づいて、プリント店を選択可能に表示することにより、管理サーバにおいては常時最新のプリント店の情報が登録されることから、端末装置の現在位置に応じたプリント店を最新の情報に基づいて選択することができる。
【００２３】
また、記憶手段に記憶されたプリント店の情報から、端末装置の現在位置に対応するプリント店を選択し、選択されたプリント店を選択可能に表示することにより、通信を行うことなく端末装置の現在位置に応じたプリント店を選択することができる。
【００２４】
また、あらかじめ登録された登録プリント店を端末装置の現在位置に応じたプリント店とともに選択可能に表示することにより、例えばプリント注文を行うユーザが通常利用するプリント店を登録プリント店として登録しておけば、端末装置の現在位置に応じたプリント店の選択および登録プリント店の選択を簡易に行うことができる。
【００２５】
本発明のプリント注文処理装置および方法によれば、画像データのプリント出力が完了すると、プリント出力を行ってプリント店の地図を有する案内情報がプリント注文を行った端末装置に送信される。このため、端末装置において案内情報を表示することにより、端末装置のユーザはプリント店の場所を認識でき、これにより、ユーザはプリント店に容易にプリントを取りに行くことができる。
【００２６】
また、端末装置の現在位置からプリント店への経路を案内情報として送信することにより、端末装置のユーザはその経路に沿って移動しさえすればよいため、さらに容易にプリント店へプリントを取りに行くことができる。
【発明を実施するための最良の形態】
【００２７】
以下、図面を参照して本発明の実施形態について説明する。図１は本発明の第１の実施形態によるプリントシステムの構成を示す概略ブロック図である。図１に示すように、第１の本実施形態によるプリントシステムは、カメラ付き携帯電話１、携帯電話のキャリア会社に設置された管理サーバ３およびプリント店に設置された注文受付サーバ５を備える。なお、本実施形態においては、カメラ付き携帯電話１のユーザは、キャリア会社が運営するプリントサービスに登録しており、プリントサービスを利用するためのユーザＩＤおよびパスワードの発行を受けているものとする。
【００２８】
図２はカメラ付き携帯電話１の構成を示す概略ブロック図である。図２に示すように、カメラ付き携帯電話１は、撮影により画像を表す画像データを取得する撮像部１１、画像データやメニュー等の各種表示を行う液晶モニタ１３、インターネットを経由しての電子メール、画像データ、アプリケーション等の各種情報の送受信を行う通信部１５、携帯電話通信網を介しての通話を行う通話部１７、撮影により取得した画像データ、電子メールにより受信した画像データ、ダウンロードした各種情報およびカメラ付き携帯電話１の各種設定情報を保存する記憶部１９、画像データをメモリカード２１に保存するためのメモリカードスロット２３、各種入力を行うためのテンキーおよび十字キー等からなる入力部２５、ＧＰＳ衛星と通信を行ってカメラ付き携帯電話１の現在位置の緯度および経度を表すＧＰＳ情報を取得するＧＰＳ部２７、並びに撮像部１１、液晶モニタ１３、通信部１５、通話部１７、メモリカードスロット２３およびＧＰＳ部２７の制御を行う制御部２９を備える。
【００２９】
カメラ付き携帯電話１のユーザは、カメラ付き携帯電話１を操作することにより、管理サーバ３が運営するプリントサービスのウェブサイトにアクセスする。そして、ユーザＩＤ、パスワード等の必要な情報を管理サーバ３に送信して、管理サーバ３により認証がなされると、撮像部１１が撮影により取得した画像データおよび電子メール等により受信した画像データのプリント注文を行うことができる。なお、ユーザは、画像データの選択および注文情報の生成をウェブサイトのアクセス前に入力部２５を用いて行い、ウェブサイトにアクセスした後に、画像データおよび注文情報のインターネットを経由しての送信を入力部２５を用いて行う。また、注文情報の生成は制御部２９が行う。また、注文情報には、ユーザＩＤ、プリント枚数、プリントサイズ、プリントの光沢の有り無し、日付の有無等の情報のプリント注文内容が含まれる。また、制御部２９は、カメラ付き携帯電話１がプリントサービスのウェブサイトにアクセスした際にはＧＰＳ情報を管理サーバ３に送信し、画像データおよび注文情報を注文受付サーバ５に送信する際にＧＰＳ情報も併せて送信するよう、通信部１５およびＧＰＳ部２７を制御する。
【００３０】
図３は管理サーバの構成を示す概略ブロック図である。図３に示すように管理サーバ３は、インターネットを経由しての電子メール、画像データ、アプリケーション等の各種情報の送受信を行う通信部３１、カメラ付き携帯電話１のユーザのユーザ情報を登録したユーザ情報データベース、ユーザがあらかじめ登録したプリント店の情報を登録した登録プリント店データベース、プリント処理を行うプリント店の情報を登録したプリント店データベース、およびプリントサービスのウェブサイトをカメラ付き携帯電話１に表示するために必要な情報を含む各種情報を保存する記憶部３３、ユーザごとに携帯電話の使用料金およびプリント処理に要した料金の課金管理を行う課金部３５、並びに通信部３１、記憶部３３および課金部３５の制御を行う制御部３７を備える。
【００３１】
ユーザ情報データベースには、プリントサービスに登録したユーザに発行したユーザＩＤと対応づけて、ユーザの氏名、住所、電話番号、および携帯電話の電子メールアドレス等のユーザ情報が登録されている。
【００３２】
登録プリント店データベースには、ユーザＩＤに対応づけて、そのユーザがあらかじめ登録したプリント店の情報（プリント店名、住所、電話番号、プリント店のＵＲＬ、およびメールアドレス等）が登録されている。
【００３３】
プリント店データベースには、プリント注文を受け付けて画像データのプリント出力を行う複数のプリント店の情報（プリント店名、住所、電話番号、プリント店のＵＲＬ、およびメールアドレス等）が登録されている。
【００３４】
管理サーバ３は、カメラ付き携帯電話１のユーザがプリントサービスのウェブサイトにアクセスし、認証後に送信したＧＰＳ情報を受信すると、登録プリント店データベースおよびプリント店データベースを参照して、ＧＰＳ情報に対応する場所に最も近い場所にあるプリント店およびユーザの登録プリント店の情報をカメラ付き携帯電話１に送信する。また、後述するようにプリント店が行ったプリント処理に要した料金をユーザに請求すべく課金部３５により課金管理を行う。
【００３５】
図４は注文受付サーバ５の構成を示す概略ブロック図である。図４に示すように注文受付サーバ５は、インターネットを経由しての電子メールの送受信や、画像データ、注文情報等の各種情報の送受信を行う通信部５１、プリント店周辺の地図を表す地図データを含む各種情報を保存する記憶部５３、ＧＰＳ情報に基づいてユーザの現在位置からプリント店までの案内経路を生成し、地図データと併せて案内情報を生成する案内情報生成部５５、注文情報に基づいて画像データをプリント出力するプリンタ５７、並びに通信部５１、記憶部５３、案内情報生成部５５およびプリンタ５７の制御を行う制御部５９を備える。
【００３６】
注文受付サーバ５は、カメラ付き携帯電話１のユーザが送信した画像データ、注文情報およびＧＰＳ情報を受信すると、注文情報に基づいて画像データをプリンタ５７からプリント出力する。また、案内情報生成部５５により、ＧＰＳ情報に基づいて案内情報を生成する。そしてプリントが完了するとその旨を含むメッセージを案内情報に含めて通信部５１によりユーザの電子メールアドレスに案内情報を送信する。また、プリントに要した料金の情報を管理サーバ３に送信する。
【００３７】
図５は案内情報の例を示す図である。図５に示すように案内情報６０には、「プリントが完了しました。こちらへ取りに来てください。」のメッセージ６１およびユーザの現在位置（☆印）からプリント店までの案内経路が表示されたプリント店の地図６３が含まれる。
【００３８】
次いで、第１の実施形態において行われる処理について説明する。図６は第１の実施形態において行われる処理を示すフローチャートである。なお、ここでは、カメラ付き携帯電話１のユーザは、撮影により取得した画像データの注文情報をすでに生成しているものとする。カメラ付き携帯電話１のユーザが、管理サーバ３が運営するプリントサービスのウェブサイトにアクセスし、管理サーバ３がユーザＩＤおよびパスワードによりユーザの認証を行うことにより処理が開始され、カメラ付き携帯電話１が、カメラ付き携帯電話１の現在位置を表すＧＰＳ情報を管理サーバ３に送信する（ステップＳＴ１）。
【００３９】
管理サーバ３はＧＰＳ情報を受信すると、登録プリント店データベースおよびプリント店データベースを参照して、ＧＰＳ情報に対応する場所（すなわちユーザの現在位置）に最も近い場所にあるプリント店の情報およびユーザの登録プリント店の情報をカメラ付き携帯電話１に送信する（ステップＳＴ２）。
【００４０】
カメラ付き携帯電話１は、ユーザの現在位置に最も近い場所にあるプリント店の情報および登録プリント店の情報が表示する（ステップＳＴ３）。そして、カメラ付き携帯電話１はユーザがプリント店を選択したか否かの監視を開始し（ステップＳＴ４）、ステップＳＴ４が肯定されると、プリント注文を行う画像データ、注文情報およびＧＰＳ情報を、ユーザが選択したプリント店の注文受付サーバ５に送信する（ステップＳＴ５）。
【００４１】
注文受付サーバ５は、画像データ、注文情報およびＧＰＳ情報を受信すると、注文情報に基づいて画像データをプリント出力する（ステップＳＴ６）。また、ＧＰＳ情報に基づいて案内情報を生成する（ステップＳＴ７）。そして、プリント出力が完了したか否かの監視を開始し（ステップＳＴ８）、ステップＳＴ８が肯定されると、プリント出力が完了した旨の情報を含む案内情報をカメラ付き携帯電話１に送信する（ステップＳＴ９）。
【００４２】
カメラ付き携帯電話１は案内情報を受信するとこれを表示し（ステップＳＴ１０）、処理を終了する。
【００４３】
なお、注文受付サーバ５は、プリントに要した料金を表す情報を管理サーバ３に送信する。管理サーバ３は課金部３５により、カメラ付き携帯電話１の利用料金にプリント料金を含めてユーザに料金の請求を行う。
【００４４】
このように、本実施形態においては、カメラ付き携帯電話１の現在位置に最も近いプリント店をプリント注文を行うプリント店として選択できるようにしたため、カメラ付き携帯電話１のユーザは、ユーザの現在位置に最も近いプリント店を簡易に選択することができ、これにより、プリント注文を簡易に行うことができる。
【００４５】
また、あらかじめ登録された登録プリント店をユーザの現在位置に最も近いプリント店とともに選択可能に表示しているため、例えばプリント注文を行うユーザが通常利用するプリント店を登録プリント店として登録しておけば、ユーザの現在位置に最も近いプリント店の選択および登録プリント店の選択を簡易に行うことができる。
【００４６】
また、画像データのプリント出力が完了すると、プリント出力を行ったプリント店の案内情報をカメラ付き携帯電話１に送信するようにしたため、カメラ付き携帯電話１において案内情報を表示することにより、カメラ付き携帯電話１のユーザはプリント店の場所を認識でき、これにより、プリント店に容易にプリントを取りに行くことができる。
【００４７】
また、ユーザの現在位置からプリント店への経路を案内情報として送信することにより、カメラ付き携帯電話１のユーザはその経路に沿って移動しさえすればよいため、さらに容易にプリント店へプリントを取りに行くことができる。
【００４８】
次いで、本発明の第２の実施形態について説明する。図７は本発明の第２の実施形態によるプリントシステムの構成を示す概略ブロック図である。上記第１の実施形態においては、管理サーバ３が登録プリント店およびユーザの現在位置に最も近いプリント店の情報をカメラ付き携帯電話１に送信しているが、第２の実施形態においては、カメラ付き携帯電話１に、登録プリント店の情報、プリント店データベースおよびユーザの現在位置に最も近いプリント店を選択するためのアプリケーションを保存し、このアプリケーションにより登録プリント店およびユーザの現在位置に最も近いプリント店を選択可能にカメラ付き携帯電話１に表示して、ユーザにプリント店を選択させるようにしたものである。
【００４９】
このため、第２の実施形態によるプリントサービスシステムは、第１の実施形態における管理サーバ３が省略され、カメラ付き携帯電話１およびプリント店が運営する注文受付サーバ５のみを備えたものとなっている。
【００５０】
なお、カメラ付き携帯電話１および注文受付サーバ５の構成は、上記第１の実施形態と同一であるためここでは詳細な説明は省略するが、カメラ付き携帯電話１の記憶部１９には、登録プリント店の情報、プリント店データベースおよび現在位置に最も近いプリント店を選択するためのアプリケーションが保存されているものとする。
【００５１】
次いで、第２の実施形態において行われる処理について説明する。図８は第２の実施形態において行われる処理を示すフローチャートである。なお、ここでは、カメラ付き携帯電話１のユーザは、撮影により取得した画像データの注文情報をすでに生成しているものとする。カメラ付き携帯電話１のユーザが、プリント注文の指示をカメラ付き携帯電話１に行うことにより処理が開始され、カメラ付き携帯電話１は、記憶部１９に記憶されたアプリケーションにより、登録プリント店およびプリント店データベースを参照して、ＧＰＳ部２７が取得したＧＰＳ情報により表されるカメラ付き携帯電話１の現在位置に最も近い場所にあるプリント店の情報およびユーザの登録プリント店の情報を表示する（ステップＳＴ２１）。そして、ユーザがプリント店を選択したか否かの監視を開始し（ステップＳＴ２２）、ステップＳＴ２２が肯定されると、プリント注文を行う画像データ、注文情報およびＧＰＳ情報を、選択したプリント店の注文受付サーバ５に送信する（ステップＳＴ２３）。
【００５２】
注文受付サーバ５は、画像データ、注文情報およびＧＰＳ情報を受信すると、注文情報に基づいて画像データをプリント出力する（ステップＳＴ２４）。また、ＧＰＳ情報に基づいて案内情報を生成する（ステップＳＴ２５）。そして、プリント出力が完了したか否かの監視を開始し（ステップＳＴ２６）、ステップＳＴ２６が肯定されると、プリントが完了した旨の情報を含む案内情報をカメラ付き携帯電話１に送信する（ステップＳＴ２７）。
【００５３】
カメラ付き携帯電話１は案内情報を受信するとこれを表示し（ステップＳＴ２８）、処理を終了する。
【００５４】
なお、上記第１および第２の実施形態においては、プリント店からユーザの現在位置までの経路を含む案内情報をカメラ付き携帯電話１に送信しているが、経路を含まない（すなわち、プリント店の周辺の地図のみを含む）案内情報をカメラ付き携帯電話１に送信してもよい。
【００５５】
また、上記第１および第２の実施形態においては、カメラ付き携帯電話１からプリント注文を行っているが、ユーザの自宅のパソコンからプリント注文を行うようにしてもよい。この場合、ユーザのパソコンにＧＰＳ機能を持たせてＧＰＳ情報をプリント店に送信すればよく。これにより、ユーザのパソコンが設置されたユーザの自宅の位置からプリント店までの経路を含む案内情報がユーザのパソコンに送信されることとなる。
【００５６】
また、上記第１および第２の実施形態においては、ユーザの現在位置に最も近いプリント店の情報をカメラ付き携帯電話１に送信しているが、ユーザの現在位置から所定範囲にある複数のプリント店の情報をカメラ付き携帯電話１に送信してもよい。これにより、ユーザはプリント注文を行った以降の行動を考慮して、プリント注文を行うプリント店を選択することができる。
【００５７】
また、上記第１および第２の実施形態においては、カメラ付き携帯電話１がＧＰＳ部２７を有し、これによりカメラ付き携帯電話１の現在位置を表すＧＰＳ情報を取得しているが、カメラ付き携帯電話１は携帯電話通信網と通信を行う機能を有しているため、携帯電話通信網の基地局の場所に基づいて、カメラ付き携帯電話１の現在位置を推定することができる。したがって、ＧＰＳ情報に代えて、このように推定された現在位置の情報を管理サーバ３および注文受付サーバ５に送信してもよい。
【図面の簡単な説明】
【００５８】
【図１】本発明の第１の実施形態によるプリントシステムの構成を示す概略ブロック図
【図２】カメラ付き携帯電話の構成を示す概略ブロック図
【図３】管理サーバの構成を示す概略ブロック図
【図４】注文受付サーバの構成を示す概略ブロック図
【図５】案内情報の例を示す図
【図６】第１の実施形態において行われる処理を示すフローチャート
【図７】本発明の第２の実施形態によるプリントシステムの構成を示す概略ブロック図
【図８】第２の実施形態において行われる処理を示すフローチャート
【符号の説明】
【００５９】
１    カメラ付き携帯電話
３    管理サーバ
５    注文受付サーバ
【図１】
2006072479.tif 000003
【図２】
2006072479.tif 000004
【図３】
2006072479.tif 000005
【図４】
2006072479.tif 000006
【図５】
2006072479.tif 000007
【図６】
2006072479.tif 000008
【図７】
2006072479.tif 000009
【図８】
2006072479.tif 000010